(57)【要約】  【課題】  線条ファスナーエレメント用の開き具で、蝶棒が箱棒側のファスナーエレメントを的確に補捉して突き上げに対し分離現象を阻止する。  【解決手段】  ファスナーエレメント３の下端に蝶棒６を装着し、蝶棒６の主体部１５に切欠部１７、その上側に箱棒側へ突出する基台１６を設け、基台１６の上面に箱棒側のファスナーエレメント３内へ挿入できる挿入部２０を突設し、挿入部２０に隣接してファスナーエレメント３の脚部１１を載置できる載置部２１を設け、主体部１５の上部に設けた突出部１９と挿入部２０との間にファスナーエレメント３の頭部１０を収容できる収容部２２を設けた開き具で、挿入部をファスナーエレメント内へ挿入させたとき、左右のファスナーエレメントは蝶棒によって補捉し、裏面からの突き上げに対し分離を阻止する。  【選択図】  図５
2006000468.tif 000002
【特許請求の範囲】
【請求項１】
左右に樹脂製の線条ファスナーエレメント３を取り付けたスライドファスナーの開き具において、開き具は一方の線条ファスナーエレメント３の下端に蝶棒６を配し、左右の線条ファスナーエレメント３の噛合時に、蝶棒６の上側に他方の線条ファスナーエレメント３内に挿入可能な挿入部２０を突設し、挿入部２０の基部に線条ファスナーエレメント３の脚部載置用の載置部２１を連設してなることを特徴とするスライドファスナー用開き具。
【請求項２】
挿入部２０と載置部２１は、蝶棒６の主体部１５から側方へ突出する基台１６の上面に配設し、主体部１５から上方へ突出する突出部１９を設け、突出部１９と載置部２１との間に線条ファスナーエレメント３の頭部１０を収容可能な収容部２２を設けてなる請求項１記載のスライドファスナー用開き具。
【請求項３】
挿入部２０と載置部２１は、蝶棒６の主体部１５に切欠部１７を備え、主体部１５から箱棒５との対向面へ突出する方形体状の基台１６の上面に配設し、箱棒５に、前記切欠部１７に嵌入可能な係止部２５を形成してなる請求項１記載のスライドファスナー用開き具。
【請求項４】
載置部２１の幅方向の肉厚が、載置部２１の上面から基台１６に向かうにしたがって漸次厚くなるように形成してなる請求項１記載のスライドファスナー用開き具。
【請求項５】
載置部２１は挿入部２０よりも蝶棒６の前面側に位置し、線条ファスナーエレメント３における左右の脚部１１の一方を載置してなる請求項１記載のスライドファスナー用開き具。
【発明の詳細な説明】
【技術分野】
【０００１】
この発明は、ファスナーテープの側縁に熱可塑性樹脂製のモノフィラメントから形成した線条ファスナーエレメントを取り付けてファスナーチエンを形成し、このファスナーチエンの端部に左右のファスナーストリンガーに分離し、かつ分離されたストリンガーを結合させることができる箱棒と蝶棒とを備えた開離嵌挿具すなわちスライドファスナー用開き具に関するものである。
【背景技術】
【０００２】
従来、熱可塑性樹脂製のモノフィラメントから形成したファスナーエレメントをファスナーテープの側縁に取り付けたファスナーチエンの端部に一方のファスナーストリンガーに箱体および箱棒を取り付け、他方のファスナーストリンガーに蝶棒を取り付けた開き具において、蝶棒の上端における箱棒に対向する面にフック状の係止部を蝶棒と一体に成形し、フック状の係止部を箱棒に隣接するファスナーエレメントの噛合頭部の裏側へ挿入して係止できるように形成した開き具が、図１５に示すように知られている。
【０００３】
また、図１６に示すように、開き具における角柱状の蝶棒に、箱棒に設けた円弧溝とフック部とに係合させるため、先端に円弧突起部と内側に凹部とを設けた当接板を箱棒と対面する側に突設し、この当接板の上面の平坦部分に錐状に上方へ突出する挿入部を設け、この挿入部を噛合相手の箱棒に隣接するコイル状ファスナーエレメント内に下方から挿入できるように形成したスライドファスナーの開き具が知られている。
【特許文献１】中華民国専利第５４１８８１号公報
【発明の開示】
【発明が解決しようとする課題】
【０００４】
前述の図１５，１６に示されたそれぞれの開き具における蝶棒に設置したフック状の係止部、あるいは錐状の挿入部は、それぞれ蝶棒における箱棒に対面する側に、噛合相手のファスナーエレメント内へ単に挿入できる係止部あるいは挿入部を配設したものであるから、蝶棒を箱棒と対面させて左右のファスナーストリンガーを噛合させると、蝶棒は係止部または挿入部を単に噛合相手のファスナーエレメント内に挿入するので、係止部または挿入部がファスナーエレメント内の空隙部分を移動し変形し易く不安定であるなど問題点がある。
【０００５】
この発明は、上述の問題点を考慮して発明されたものであり、請求項１記載の発明は、スライドファスナーの開き具における箱棒側の線条ファスナーエレメントを蝶棒が的確に保持し、安定した状態すなわち線条ファスナーエレメントの脚部および頭部を有効に収容して蝶棒を線条ファスナーエレメントと噛合させ、ファスナーチエンの突き上げ強度すなわちファスナーチエンにおける裏面から線条ファスナーエレメントを突き上げたとき、線条ファスナーエレメントが変形するのを抑止して強度のあるファスナーチエンが得られるスライドファスナーの開き具を提供することが主たる目的である。
【０００６】
請求項２乃至５記載の発明は、それぞれ請求項１記載の発明の目的に加え、開き具の蝶棒が的確に箱棒側の線条ファスナーエレメントを捕捉して噛合ができる形態の線条ファスナーエレメント内へ挿入できる挿入部、線条ファスナーエレメントの脚部を載置できる載置部、線条ファスナーエレメントの頭部を収容できる収容部をそれぞれ蝶棒の上側に配備し、効率よく安定した状態の噛合ができるスライドファスナーの開き具を提供することが目的である。
【課題を解決するための手段】
【０００７】
前記の目的を達成するため、この発明のうち請求項１記載の発明は、ポリアミド系、ポリエステル系のモノフィラメントから形成した線条ファスナーエレメント３、例えばコイル状ファスナーエレメント、ジグザグ状ファスナーエレメントを左右に取り付けたスライドファスナーの開き具において、一方の線条ファスナーエレメント３の下端に蝶棒６を配し、左右の線条ファスナーエレメント３が噛合した時、蝶棒６の上側に他方の線条ファスナーエレメント３内に挿入できる挿入部２０を上方へ向けて突設し、挿入部２０の基部にファスナーエレメント３の脚部１１を載置できる載置部２１を連設したスライドファスナー用開き具を主な構成とするものである。
【０００８】
請求項２記載の発明は、請求項１記載の発明の構成に加え、挿入部２０と載置部２１は、蝶棒６の主体部１５から側方へ突出する基台１６の上面に配設し、主体部１５から上方へ突出する突出部１９を設け、突出部１９と載置部２１との間に線条ファスナーエレメント３の頭部１０を収容できる形の収容部２２を設けたスライドファスナー用開き具である。
【０００９】
請求項３記載の発明は、請求項１記載の発明の構成に加え、線条ファスナーエレメント３内へ挿入するための挿入部２０と、線条ファスナーエレメント３の脚部１１を載置するための載置部２１は、蝶棒６に形成した下部に台形状に切り欠いた切欠部１７を設け、この上側に主体部１５から箱棒５との対向面へ突出する方形体状の基台１６を設け、この基台１６の上面に挿入部２０と載置部２１を配設し、箱棒５に、前記蝶棒６に設けた切欠部１７に嵌入できるフ字状に突出する係止部２５を形成したスライドファスナー用開き具である。
【００１０】
請求項４記載の発明は、請求項１記載の発明の構成に加え、線条ファスナーエレメント３の脚部１１を載置する載置部２１は、載置部２１の幅方向すなわち奥行きの肉厚が、載置部２１の上面から基台１６上に向かうにしたがって漸次厚くなるように形成したスライドファスナー用開き具である。
【００１１】
請求項５記載の発明は、請求項１記載の発明の構成に加え、線条ファスナーエレメント３の脚部１１を載置する載置部２１は、線条ファスナーエレメント３内へ挿入する挿入部２０よりも蝶棒の前面すなわちファスナーストリンガー１の表面に位置し、線条ファスナーエレメント３における脚部１１の一方を載置することができるスライドファスナー用開き具である。
【発明の効果】
【００１２】
この出願の発明の効果として、請求項１記載の発明は、左右に線条ファスナーエレメントを取り付けたスライドファスナーの開き具において、一方の線条ファスナーエレメントの下端に蝶棒を配し、左右の線条ファスナーエレメントの噛合時に、蝶棒の上側に他方の線条ファスナーエレメント内へ挿入可能な挿入部を突設し、挿入部の基部に線条ファスナーエレメントの脚部載置用の載置部を連設したことによって、下記の効果を奏する。
【００１３】
蝶棒の上側に挿入部と脚部載置用の載置部を連設したので、蝶棒が箱棒側のファスナーストリンガーの第１エレメントを的確に捕捉し、突き上げ現象にも強いファスナーチエンに仕上げることができる効果がある。
【００１４】
請求項２記載の発明は、請求項１記載の発明の効果に加え、挿入部と載置部は、蝶棒の主体部から側方へ突出する基台の上面に配設し、主体部から上方へ突出する突出部を設け、突出部と載置部との間に線条ファスナーエレメントの頭部を収容可能な収容部を設けたことによって、線条ファスナーエレメントの頭部を滑動させることがなく、安定した状態で保持できる効果がある。
【００１５】
請求項３記載の発明は、請求項１記載の発明の効果に加え、挿入部と載置部は、蝶棒の主体部に切欠部を備え、主体部から箱棒との対向面へ突出する方形体状の基台の上面に配設したことによって、挿入部と載置部は頑丈な方形体状の基台上に設置しているので、変形することがなく長期の使用に耐え、かつ箱棒に前記切欠部に嵌入可能な係止部を形成していることによって、蝶棒が箱棒と強固に係合できる効果がある。
【００１６】
請求項４記載の発明は、請求項１記載の発明の効果に加え、載置部の幅方向の肉厚が、載置部の上面から基台に向かうにしたがって漸次厚くなるように形成したことによって、線条ファスナーエレメントの噛合頭部の裏面の形状にほぼ合致し、蝶棒は挿入部と載置部とにより、箱棒側の第１ファスナーエレメントと簡易に噛合し、噛合状態は両者が密接してがたつくことがなく、品質に優れたファスナーチェンに仕上げることができる効果がある。
【００１７】
請求項５記載の発明は、請求項１記載の発明の効果に加え、載置部は挿入部よりも蝶棒の前面側に位置し、線条ファスナーエレメントにおける左右の脚部の一方を載置することによって、左右ファスナーストリンガーを噛合させたとき、箱棒側の第１ファスナーエレメントの脚部がファスナーストリンガーの表面側に配されて載置部に載置し規整されるので、きわめて体裁のよいファスナーチエンに仕上げることができる効果があるなど、この発明が奏する効果はきわめて顕著である。
【発明を実施するための最良の形態】
【００１８】
この発明におけるスライドファスナー用開き具は、図１に示すように一対のファスナーテープ２の対向側縁に沿ってポリアミド系、ポリエステル系のモノフィラメントから成形したコイル状ファスナーエレメントあるいはジグザグ状の線条ファスナーエレメント３を取り付けて左右のファスナーストリンガー１を形成し、一方のファスナーストリンガー１の下端に熱可塑性樹脂製の箱体４と箱棒５を一体成形で取り付け、他方のファスナーストリンガー１の下端には樹脂製の蝶棒６を成形して取り付けて開き具を形成する。
【００１９】
コイル状のファスナーエレメント３は、噛合頭部１０と、この噛合頭部１０の上下端からファスナーテープ２の幅方向へ延びる脚部１１を上下に形成し、隣り合うファスナーエレメント３同士は、斜状的に連結部１２により上下の脚部１１を連結して、連続ファスナーエレメント列を構成する。またジグザグ状ファスナーエレメントは、図示はしていないが、噛合頭部とこの噛合頭部の上下端からファスナーテープの幅方向へ延びる脚部を上下で重なる形に形成し、上下脚部端は次位のファスナーエレメントを水平状に連結部によって連結して連続ファスナーエレメント列を構成する。
【００２０】
開き具における蝶棒６は、図３，５，７に示すように角柱状の主体部１５の中間にフ字状に切り欠いた切欠部１７を設けて上方に方形台形の基台１６を設け、切欠部１７の一側に基台１６に連なる側壁１８を設け、基台１６の上面で箱棒５と対面する側の先端に噛合相手すなわち箱棒５側の線条ファスナーエレメント３の噛合頭部１０の裏側へ挿入できる挿入部２０を上方へ向けて突設し、挿入部２０の頂端２３は主体部１５の頂面２４よりも突出する形に形成する。この挿入部２０に隣接して線条ファスナーエレメント３の脚部１１を載置することができる挿入部２０よりも丈が低い載置部２１を連設し、この挿入部２０と載置部２１の基部であって蝶棒６における主体部１５の突出部１９との間に噛合頭部１０の裏面の形状に合致する凹状の間隙を設けて線条ファスナーエレメント３の頭部１０を収容できる収容部２２を設ける。
【００２１】
箱棒５は、図４，６，８に示すように下側に蝶棒６を嵌挿できる箱体４を一体に設け、この箱体４から上方へ角柱状の箱棒５を突設し、箱棒５は蝶棒６に設けた切欠部１７に嵌入できるフ字状に突出する係止部２５を設け、この係止部２５の上方で蝶棒６の対向面に蝶棒６の基台１６の側面に当接する突条片２６を突設して蝶棒６を嵌挿したとき、突き上げ動作に耐えるように形成し、箱棒５の頂面は蝶棒６の基台１６の上面と同一面に形成したスライドファスナーの開き具である。なお箱体４と箱棒５を別体に形成し、箱体４に代えて逆開きスライダー７´を図１４に示すように装備させ、逆開き具として用いることができる。
【実施例１】
【００２２】
図１〜１０に示す実施例のスライドファスナー用開き具について説明すると、図１，２に示すように左右のファスナーストリンガー１は、ファスナーテープ２の対向側縁にポリアミドまたはポリエステルのモノフィラメントをコイル状またはジグザグ状に形成して線条ファスナーエレメント３を成形し、この線条ファスナーエレメント３内に芯紐１３を挿通して縫糸１４によって、縫製してファスナーストリンガー１を作製する。または線条ファスナーエレメント３をファスナーテープ２を織製あるいは編製するときに、織り込みまたは編み込んで作製してもよい。作製された一対のファスナーストリンガー１の一方のファスナーストリンガー１の下端には蝶棒６を嵌挿することができる箱体４と箱棒５とを一体に成形して取り付け、他方のファスナーストリンガー１の下端には箱体４に嵌挿する蝶棒６を成形して取り付けて開き具を形成する。なお箱体４、箱棒５、蝶棒６は、ポリアセタール、ポリアミドなどの熱可塑性樹脂を用いて射出成形手段によって、それぞれファスナーテープ２の側縁へ取り付ける。
【００２３】
ファスナーストリンガー１に取り付けられる蝶棒６は、図３，５，７に示すように、ファスナーテープ２の側縁の表裏にわたって角柱状の蝶棒６を狭着させ、同時にファスナーテープ２の表裏に補強部９を一体に成形する。この蝶棒６の主体部１５は中間部分にフ字状の台形状に切り欠いた切欠部１７を設けて、その上方に主体部１５の頂面２４よりも低い方形体状に側方へ突出する基台１６を形成し、切欠部１７のファスナーテープ２側には基台１６に連なる側壁１８を設けて箱棒５の係止部２５の側面に当接できるように形成して、蝶棒６と箱棒５とが表裏方向へ揺動するのを防ぐように形成する。
【００２４】
蝶棒６の主体部１５に形成した基台１６の上面には、箱棒５と対面する側の先端、すなわち蝶棒６を箱体４に嵌挿したとき、箱棒と接する側に噛合相手の線条ファスナーエレメント３における噛合頭部１０の裏側へ挿入できる挿入部２０を上方へ向けて突設し、挿入部２０はやや尖形を呈する形に形成して挿入動作が円滑に行えるように形成する。また挿入部２０の頂端２３は主体部１５の頂面２４よりも上方へ突出する形に形成して、噛合する頭部１０を簡単に抜脱できるのを防ぐとともに、主体部１５の頂面２４を低くすることにより、ファスナーストリンガー１の側縁を屈曲可能な形態に形成する。この挿入部２０に隣接する形で線条ファスナーエレメント３の脚部１１を載置して保持できる挿入部２０よりも丈が低い載置部２１を上方へ突出する形で連設する。またその載置部２１は、挿入部２０のファスナーストリンガー１の表面側に配置する。この挿入部２０と載置部２１の基部は線条ファスナーエレメント３の噛合頭部１０の裏面の形状と合致する形状に形成して、主体部１５との間に凹状の頭部１０を収容できる収容部２２を形成して噛合頭部１０を安定した状態で保持できるように形成する。
【００２５】
ファスナーストリンガー１に取り付けられる箱体４を箱棒５は、図４，６，８に示すように、ファスナーテープ２の側縁で表裏面にわたる角柱状の主体部２７から形成される箱棒５が上方へ延びる形で設け、箱棒５の下部に蝶棒６が嵌挿できる形で箱体４を配し、ファスナーテープ２の下端表裏に補強部９を箱棒５、箱体４とともに樹脂を用いて一体に成形する。成形される箱棒５は頂面２８が蝶棒６の基台１６の上面と一致し、主体部２７の中間部分にフ字状に側方へ突出して蝶棒６の切欠部１７に嵌入できる係止部２５を突出状に形成する。この係止部２５の上側で主体部２７の側縁にファスナーテープ２の端縁と一致する形で突条片２６を突設して蝶棒６の基台１６の側面に当接できるように形成して、箱棒５と蝶棒６とが表裏方向へ揺動するのを防ぐように形成する。
【００２６】
箱体４、箱棒５、蝶棒６とを備えた左右のファスナーストリンガー１をスライダー７によって噛合させたとき、図９，１０に示すように、箱棒５側の第１ファスナーエレメント３の噛合頭部１０が蝶棒６に形成した挿入部２０に挿入されるとともに、噛合頭部１０に連接する脚部１１が載置部２１に載置され、噛合頭部１０が主体部１５との間に形成された収容部２２内で揺動することなく収容され、噛合状態は安定した状態で強固に保持される。
【００２７】
箱棒５と蝶棒６とに設けられる補強部９は、図１に示すように、蝶棒６、箱棒５の上側を斜面形状に形成する。これによって、特に蝶棒６側では、蝶棒６の主体部１５が、その補強部９側が内側に窪む形状となっている。このため、蝶棒９および補強部９を射出成型したときに、蝶棒６と補強部９との接合面積が小さく、強度が弱くなるので、蝶棒６の窪みより上側の部分まで斜面状に補強部９が形成されているので、十分な接合強度を得ることができる。
【００２８】
図１１に示す変形例は、線条ファスナーエレメント３の脚部１１を載置する載置部２１の変形例を示すもので、載置部２１の上面は挿入部２０側から外側へ向けてやや傾斜した形態に形成したものである。図１２に示す変形例は、載置部２１の表面を線条ファスナーエレメント３の脚部１１の外面と一致する形状に形成したものである。また図１３に示す変形例は、載置部２１が挿入部２０とファスナーテープ２との間に形成したものである。さらに載置部２１を挿入部２０の両側に位置するように配設することも可能である。
【００２９】
図１４に示す実施例は、逆開き具の箱棒と蝶棒に適用したものであり、箱棒５を備えたファスナーストリンガー１には箱体を備える代わりに、逆開きスライダー７´を挿通し、箱棒５の長さはやや長めに形成して先端にスライダー７´のフランジ３０に係止できる側方へ突出するストッパー３１を設け、蝶棒６の長さも長目に形成して箱棒５に対応させ、蝶棒６の基台１６の上面には前述の形態の挿入部２０、載置部２１、収容部２２が具備されている。
【産業上の利用可能性】
【００３０】
この発明のスライドファスナー用開き具は、箱体、箱棒、蝶棒は樹脂製で、各種の衣服の開口部また鞄、袋物などの開口部に取り付けて使用する開き具付きスライドファスナーであり、特に前開きの衣服のジャンパー、オーバーコートなどの前立て部分に取り付けて使用するのに好適である。
【図面の簡単な説明】
【００３１】
【図１】開き具を備えたスライドファスナーの正面図である。
【図２】同上の開き具におけるファスナーチエンの開離始動時の一部切欠した正面図である。
【図３】同上の開き具の蝶棒の斜視図である。
【図４】同上の開き具の箱体、箱棒の斜視図である。
【図５】同上の開き具の蝶棒の正面図である。
【図６】同上の開き具の箱体、箱棒の正面図である。
【図７】同上の開き具の蝶棒の側面図である。
【図８】同上の開き具の箱体、箱棒の側面図である。
【図９】同上の開き具の要部の正面図である。
【図１０】同上の開き具の図９におけるＡ−Ａ断面図である。
【図１１】開き具の蝶棒に形成した載置部の変形例を示す断面図である。
【図１２】開き具の蝶棒に形成した載置部の他の変形例を示す断面図である。
【図１３】開き具の蝶棒に形成した載置部のさらに他の変形例を示す断面図である。
【図１４】逆開き部の一部を切欠した断面図である。
【図１５】公知の開き具の正面図である。
【図１６】他の公知の開き具の蝶棒である。
【符号の説明】
【００３２】
３            線条ファスナーエレメント
５            箱棒
６            蝶棒
１０            頭部
１１            脚部
１５            主体部
１６            基台
１７            切欠部
２０            挿入部
２１            載置部
２２            収容部
２３            頂端
２４            頂面（蝶棒）
【図１】
2006000468.tif 000003
【図２】
2006000468.tif 000004
【図３】
2006000468.tif 000005
【図４】
2006000468.tif 000006
【図５】
2006000468.tif 000007
【図６】
2006000468.tif 000008
【図７】
2006000468.tif 000009
【図８】
2006000468.tif 000010
【図９】
2006000468.tif 000011
【図１０】
2006000468.tif 000012
【図１１】
2006000468.tif 000013
【図１２】
2006000468.tif 000014
【図１３】
2006000468.tif 000015
【図１４】
2006000468.tif 000016
【図１５】
2006000468.tif 000017
【図１６】
2006000468.tif 000018